(57)【要約】      （修正有）【課題】各種定型記入用紙への記入を簡単かつ正確に行えるガイド表示装置を提供する。【解決手段】カメラ部により撮影されたデスク１５上の記入用紙１６を含む撮影画像と用紙種類データベースに記憶されている各種定型記入用紙１６…の画像とに基づき、撮影された記入用紙１６の種類が認識され、用紙／記入欄別ガイドデータベースに記憶されている認識された記入用紙１６の種類に応じた記入欄別の位置、最大文字数、最適文字サイズ、文字間隔、行間隔、記入すべき内容、記入の仕方、必須記入欄か否かを示すフラグが取得される。そして、撮影画像に基づいて記入用紙１６上で記入者が操作するペン１７とその位置Ｐが認識されると、ペン１７の位置Ｐから上にある処理対象の記入欄に対応して、その記入欄に応じた最適な文字記入位置を示すガイド画像ＣＰ１，ＣＰ２や記入の仕方を説明するガイド画像ＷＥ１，ＷＥ２が生成されて投影表示される。【選択図】図５
2015180988.tif 000002
【特許請求の範囲】
【請求項１】
撮影手段と、
投影表示手段と、
前記撮影手段による撮影画像に基づいて、当該撮影画像に含まれる記入用紙を認識する用紙認識手段と、
この用紙認識手段に基づいてガイドを前記投影表示手段により前記記入用紙に投影して表示させるガイド表示制御手段と、
を備えたことを特徴とする記入ガイド表示装置。
【請求項２】
前記用紙認識手段により認識された記入用紙への記入に関するガイドを取得するガイド取得手段と、
を備え、
前記ガイド表示制御手段は、前記ガイド取得手段により取得されたガイドを前記投影表示手段により前記記入用紙に投影して表示させることを特徴とする請求項１に記載の記入ガイド表示装置。
【請求項３】
前記ガイド取得手段は、前記用紙認識手段により認識された記入用紙への記入に関するガイドを当該記入用紙の記入欄別に取得し、
前記ガイド表示制御手段は、前記ガイド取得手段により記入欄別に取得されたガイドを前記投影表示手段により前記記入用紙の該当する記入欄に対応して表示させる、
ことを特徴とする請求項２に記載の記入ガイド表示装置。
【請求項４】
前記撮影手段による撮影画像に基づいて、当該撮影画像に含まれる筆記用具を認識する筆記用具認識手段を備え、
前記ガイド取得手段は、前記用紙認識手段により認識された記入用紙における前記筆記用具認識手段により認識された筆記用具の位置より記入順で手前の記入欄への記入に関するガイドを取得する、
ことを特徴とする請求項３に記載の記入ガイド表示装置。
【請求項５】
前記ガイド表示制御手段は、前記用紙認識手段により認識された記入用紙における前記筆記用具認識手段により認識された筆記用具の位置が当該記入用紙の近傍に接近したと判断した場合に、前記ガイド取得手段により取得されたガイドを前記投影表示手段により前記記入用紙に投影して表示させることを特徴とする請求項４に記載の記入ガイド表示装置。
【請求項６】
前記ガイド表示制御手段により前記ガイドが前記記入用紙に投影して表示された後、前記筆記用具認識手段により認識された筆記用具の位置が当該記入用紙に接触したと判断した場合に、前記表示されたガイドを隣接する領域に移動して表示させるガイド移動表示制御手段を備えたことを特徴とする請求項５に記載の記入ガイド表示装置。
【請求項７】
前記ガイド表示制御手段により前記ガイドが前記記入用紙に投影して表示された後、前記筆記用具認識手段により認識された筆記用具の位置が当該記入用紙に接触したと判断した場合に、前記表示されたガイドのうち前記筆記用具の位置に対応する部分を消去するガイド部分消去制御手段を備えたことを特徴とする請求項５または請求項６に記載の記入ガイド表示装置。
【請求項８】
前記ガイド取得手段は、複数種類の記入用紙それぞれの記入欄別にその記入欄への記入に関するガイドを記憶している用紙／記入欄別ガイド記憶手段を有し、この用紙／記入欄別ガイド記憶手段により記憶されている各種記入用紙それぞれの記入欄別のガイドから前記用紙認識手段により認識された記入用紙への記入に関するガイドを取得する、
ことを特徴とする請求項３ないし請求項７の何れか１項に記載の記入ガイド表示装置。
【請求項９】
個人情報を読み取る個人情報読み取り手段を備え、
前記ガイド表示制御手段は、前記ガイド取得手段により記入欄別に取得されたガイドの内容を判断するガイド内容判断手段を有し、このガイド内容判断手段により当該記入欄別に取得されたガイドの内容が個人情報の記入をガイドする内容であると判断された場合、前記個人情報読み取り手段により読み取られた個人情報を前記投影表示手段により前記記入用紙の該当する記入欄に投影して表示させる、
ことを特徴とする請求項３ないし請求項８の何れか１項に記載の記入ガイド表示装置。
【請求項１０】
前記ガイド表示制御手段は、前記ガイド内容判断手段により前記記入欄別に取得されたガイドの内容が文字の記入位置をガイドする内容であると判断された場合、当該文字の記入位置を示すガイドを前記投影表示手段により前記記入用紙の該当する記入欄に投影して表示させる、
ことを特徴とする請求項９に記載の記入ガイド表示装置。
【請求項１１】
前記ガイド表示制御手段は、前記ガイド内容判断手段により前記記入欄別に取得されたガイドの内容が記入の仕方をガイドする内容であると判断された場合、当該記入の仕方を説明するガイドを前記投影表示手段により前記記入用紙の該当する記入欄に対応して表示させる、
ことを特徴とする請求項９または請求項１０に記載の記入ガイド表示装置。
【請求項１２】
前記ガイド表示制御手段は、前記ガイド内容判断手段により前記記入欄別に取得されたガイドの内容が記入必須欄をガイドする内容であると判断された場合、当該記入欄を強調するガイドを前記投影表示手段により前記記入用紙の該当する記入欄に投影して表示させる、
ことを特徴とする請求項９ないし請求項１１の何れか１項に記載の記入ガイド表示装置。
【請求項１３】
前記撮影手段による撮影画像に基づいて、前記用紙認識手段により認識された記入用紙に対し記入された手書き文字を認識する手書き文字認識手段と、
この手書き文字認識手段による手書き文字の認識に基づいて前記記入された手書き文字に関する誤りの有無を判断する記入誤り判断手段と、
この記入誤り判断手段により前記記入された手書き文字に関する誤りが有ると判断された場合に、当該誤りを警告するガイドを前記投影表示手段により前記記入用紙の該当する手書き文字に対応して表示させる警告ガイド表示制御手段と、
を備えたことを特徴とする請求項１ないし請求項１２の何れか１項に記載の記入ガイド表示装置。
【請求項１４】
前記ガイド表示制御手段は、前記ガイド内容判断手段により前記記入欄別に取得されたガイドの内容が記入の仕方をガイドする内容であると判断された場合、当該記入の仕方を説明するガイドを前記投影表示手段により前記記入用紙の該当する記入欄に対応する位置で且つ少なくとも一部を前記記入用紙の外側に表示させる、
ことを特徴とする請求項９または請求項１０に記載の記入ガイド表示装置。
【請求項１５】
前記撮影手段による撮影画像に基づいて、前記用紙認識手段により認識された記入用紙への記入者の利き手を認識する利き手認識手段を備え、
前記ガイド表示制御手段は、前記ガイド内容判断手段により前記記入欄別に取得されたガイドの内容が記入の仕方をガイドする内容であると判断された場合、当該記入の仕方を説明するガイドを前記投影表示手段により前記記入用紙の該当する記入欄に対応する位置で且つ前記利き手認識手段により認識された記入者の利き手と反対となる位置に表示させる、
ことを特徴とする請求項１１に記載の記入ガイド表示装置。
【請求項１６】
撮影部と投影表示部とを備えた電子機器を制御して記入用紙にガイドを表示させるための方法であって、
前記撮影部による撮影画像に基づいて、当該撮影画像に含まれる記入用紙を認識し、
この記入用紙の認識に基づいてガイドを前記投影表示部により前記記入用紙に投影して表示させる、
ことを特徴とする記入ガイド表示方法。
【請求項１７】
撮影部と投影表示部とを備えた電子機器のコンピュータを制御するためのプログラムであって、
前記コンピュータを、
前記撮影部による撮影画像に基づいて、当該撮影画像に含まれる記入用紙を認識する用紙認識手段、
この用紙認識手段に基づいてガイドを前記投影表示部により前記記入用紙に投影して表示させるガイド表示制御手段、
として機能させるためのコンピュータ読み込み可能なプログラム。
【発明の詳細な説明】
【技術分野】
【０００１】
本発明は、各種の用紙への記入を支援するための記入ガイド表示装置、記入ガイド表示方法、およびその制御プログラムに関する。
【背景技術】
【０００２】
一般に、役所や銀行等の窓口において、何らかの手続きを取るためには、その手続きに応じた申込用紙や申請書類等、定型の記入用紙へ必要な事項を記入して提出する必要がある。
【０００３】
従来、このような記入用紙への記入を記入者によって円滑に行ってもらうため、その記帳台には、前記記入用紙に応じた記入例を予め書き込んだ見本が用意されている。
【０００４】
この見本の記入例を参考にすれば、前記記入用紙の各記入欄に何を記入すべきかを知ることはできるが、前記記入者が実際に記入している用紙の記入欄と前記記入例とを見比べながらの作業となるため、記入漏れや記入欄の間違い、さらには欄外へのはみ出しなど、誤ったり見栄えの悪くなったりした用紙になり易い。
【０００５】
前記記入用紙への記入を支援する表示制御装置であって、前記記帳台に置いた記入用紙の隣に、当該記帳台の下からその記入用紙に記入する支援情報を透過して表示させることが考えられている（例えば、特許文献１参照。）。
【先行技術文献】
【特許文献】
【０００６】
【特許文献１】特開２０１２−２２３７５号公報
【発明の概要】
【発明が解決しようとする課題】
【０００７】
前記従来の表示制御装置であっても、前記記入用紙への記入のための支援情報はその用紙の隣に表示されるため、やはり前記記入者が実際に記入している用紙の記入欄と前記支援情報とを見比べながらの作業となり、前記同様に、誤ったり見栄えが悪くなったりし易い問題がある。
【０００８】
本発明は、このような課題に鑑みなされたもので、記入用紙への記入を簡単かつ正確に行うことが可能になる記入ガイド表示装置、記入ガイド表示方法、およびその制御プログラムを提供することを目的とする。
【課題を解決するための手段】
【０００９】
本発明に係る記入ガイド表示装置は、撮影手段と、投影表示手段と、前記撮影手段による撮影画像に基づいて、当該撮影画像に含まれる記入用紙を認識する用紙認識手段と、この用紙認識手段に基づいてガイドを前記投影表示手段により前記記入用紙に投影して表示させるガイド表示制御手段と、を備えたことを特徴としている。
【発明の効果】
【００１０】
本発明によれば、記入用紙への記入を簡単かつ正確に行うことが可能になる。
【図面の簡単な説明】
【００１１】
【図１】本発明の記入ガイド表示装置の実施形態に係るスタンド型プロジェクタ１０の外観構成を示す図。
【図２】前記スタンド型プロジェクタ１０の電子回路の構成を示すブロック図。
【図３】前記スタンド型プロジェクタ１０による用紙ガイド処理を示すフローチャート。
【図４】前記スタンド型プロジェクタ１０による用紙ガイド処理に伴うガイド表示処理を示すフローチャート。
【図５】前記スタンド型プロジェクタ１０の用紙ガイド処理に伴う記入用紙１６に対してのガイド投影表示状態（その１）を示す図。
【図６】前記スタンド型プロジェクタ１０の用紙ガイド処理に伴う記入用紙１６に対してのガイド投影表示状態（その２）を示す図。
【図７】前記スタンド型プロジェクタ１０の用紙ガイド処理に伴う記入用紙１６に対してのガイド投影表示状態（その３）を示す図。
【図８】前記スタンド型プロジェクタ１０の用紙ガイド処理に伴う記入用紙１６に対してのガイド投影表示状態（その４）を示す図。
【図９】本発明の記入ガイド表示装置の他の実施形態に係るスタンド型プロジェクタ１０Ｎの外観構成を示す図。
【図１０】前記他の実施形態に係るスタンド型プロジェクタ１０Ｎの電子回路の構成を示すブロック図。
【図１１】前記他の実施形態のスタンド型プロジェクタ１０Ｎによる用紙ガイド処理（Ｎ）を示すフローチャート。
【図１２】前記他の実施形態のスタンド型プロジェクタ１０Ｎによる用紙ガイド処理（Ｎ）に伴うガイド表示処理（Ｎ）を示すフローチャート。
【図１３】前記他の実施形態のスタンド型プロジェクタ１０Ｎの用紙ガイド処理（Ｎ）に伴う記入用紙１６に対してのガイド投影表示状態（その１）を示す図。
【図１４】前記他の実施形態のスタンド型プロジェクタ１０Ｎの用紙ガイド処理（Ｎ）に伴う記入用紙１６に対してのガイド投影表示状態（その２）を示す図。
【発明を実施するための形態】
【００１２】
以下図面により本発明の実施の形態について説明する。
【００１３】
図１は、本発明の記入ガイド表示装置の実施形態に係るスタンド型プロジェクタ１０の外観構成を示す図である。
【００１４】
このスタンド型プロジェクタ１０は、コの字型フレーム１１を有し、その底辺部をスタンド支持部１１Ｂとし、上部にカメラ部１２と投影表示部１３、基部にキー部１４が設けられる。
【００１５】
前記スタンド型プロジェクタ１０は、例えばデスク（記帳台）１５の上に置いて使用され、そのカメラ部１２によるデスク１５上の撮影範囲は、投影表示部１３による投影可能範囲ＬＭと同等であるかそれよりも広く設定される。
【００１６】
前記キー部１４は、電源の投入等を行う際に操作される。
【００１７】
このスタンド型プロジェクタ１０は、前記デスク１５上の投影可能範囲ＬＭに置いた記入用紙１６等の被写体を撮影する機能、この被写体の撮影画像に基づいて、前記記入用紙１６の位置座標（Ｘ０，Ｙ０）〜（Ｘ３，Ｙ３）を算出する機能、前記記入用紙１６の種類を認識する機能、前記記入用紙１６上でのペン（筆記用具）１７の位置を認識する機能、前記ペン１７を持つ記入者の利き手を認識する機能、前記記入用紙１６に記入された手書き文字を認識する機能を有する。また、前記記入者の個人情報を個人情報読み取り部２７（図２参照）から読み込む機能、前記認識された記入用紙１６の種類に応じて当該記入用紙１６の記入欄別に定められた記入すべき内容や記入の仕方（最大文字数・文字間隔・行間隔・最適文字サイズ等）に基づき、同記入欄別にその記入を支援するためのガイドを同記入欄に直接投影したりその近傍に投影したりして表示させる機能等を有する。
【００１８】
具体的に、図１では、前記記入用紙１６の氏名記入欄に対して、前記個人情報読み取り部２７（図２参照）により読み取られた記入者の氏名「柏尾太郎」が個人情報のガイド画像ＰＩとして投影表示部１３により投影されて表示された状態を示している。
【００１９】
この際、記入者は、前記個人情報のガイド画像ＰＩとして表示された氏名「柏尾太郎」を単純にペン１７でなぞって記入すればよく、記入漏れや間違いを防止できる。
【００２０】
図２は、前記スタンド型プロジェクタ１０の電子回路の構成を示すブロック図である。
【００２１】
この電子回路には、コンピュータとしてのＣＰＵ２１が備えられる。
【００２２】
前記ＣＰＵ２１は、フラッシュメモリなどの記憶装置２２に予め記憶されたプロジェクタ制御プログラム２２ａ、あるいはＣＤ−ＲＯＭやメモリカードなどの外部記録媒体２３から記録媒体読み取り部２４を介して前記記憶装置２２に読み込まれたプロジェクタ制御プログラム２２ａ、あるいはインターネット上のプログラムサーバから外部のＰＣおよび通信部２５を介して前記記憶装置２２に読み込まれたプロジェクタ制御プログラム２２ａに従い、ＲＡＭ２６を作業領域として回路各部の動作を制御する。
【００２３】
前記プロジェクタ制御プログラム２２ａには、前述した各種の機能を実現するためのスキャン処理プログラム、用紙認識処理プログラム、ペン位置認識処理プログラム、利き手認識処理プログラム、個人情報読み込み処理プログラム、手書き文字認識処理プログラム、ガイド表示処理プログラム等が含まれる。
【００２４】
また、前記記憶装置２２には、用紙種類データベース２２ｂ、用紙／記入欄別ガイドデータベース２２ｃが記憶される。
【００２５】
前記用紙種類データベース２２ｂには、各種定型の記入用紙１６…の画像データがその種類別に記憶される。
【００２６】
前記用紙／記入欄別ガイドデータベース２２ｃには、前記用紙種類データベース２２ｂに記憶された記入用紙１６…別に、その記入用紙１６に含まれる記入欄別の位置、サイズ、最大文字数、最適文字間隔、最適行間隔、および記入必須欄であるか否かを示すフラグ、記入すべき内容、記入の仕方等が記憶される。
【００２７】
前記ＲＡＭ２６には、スキャン画像メモリ２６ａ、用紙位置メモリ２６ｂ、用紙種類メモリ２６ｃ、利き手メモリ２６ｄ、個人情報メモリ２６ｅ、認識文字メモリ２６ｆ、投影表示画像メモリ２６ｇ等が確保される。
【００２８】
前記スキャン画像メモリ２６ａには、前記カメラ部１２によりその撮影範囲をスキャンして撮影された画像が記憶される。
【００２９】
前記用紙位置メモリ２６ｂには、前記スキャン画像メモリ２６ａに記憶された撮影画像に基づき算出された当該撮影画像に被写体として含まれる記入用紙１６の位置座標（Ｘ０，Ｙ０）〜（Ｘ３，Ｙ３）が記憶される。
【００３０】
前記用紙種類メモリ２６ｃには、前記用紙種類データベース２２ｂに記憶されている各種の記入用紙１６の画像に基づき認識された前記撮影画像に被写体として含まれる記入用紙１６の種類が記憶される。
【００３１】
前記利き手メモリ２６ｄには、前記スキャン画像メモリ２６ａに記憶された撮影画像に含まれるペン１７の傾きに基づき認識された前記記入者の利き手（右利き／左利き）が記憶される。
【００３２】
前記個人情報メモリ２６ｅには、前記個人情報読み取り部２７によりＩＣ運転免許証やＩＣパスポート等から読み取られた前記記入者の住所、氏名、生年月日等の個人情報が記憶される。
【００３３】
前記認識文字メモリ２６ｆには、前記撮影画像に被写体として含まれる記入用紙１６に対して前記ペン１７により書き込まれた手書き文字が認識されて記憶される。
【００３４】
前記投影表示画像メモリ２６ｇには、前記撮影画像に被写体として含まれる記入用紙１６の各記入欄に直接あるいはその近傍に前記投影表示部１３により投影表示させるための当該記入欄への記入を支援するガイド画像が記憶される。
【００３５】
このように構成されたスタンド型プロジェクタ１０は、前記ＣＰＵ２１が前記プロジェクタ制御プログラム２２ａに記述された命令に従い回路各部の動作を制御し、ソフトウエアとハードウエアとが協働して動作することにより、以下の動作説明で述べる記入用紙１６へのガイド機能を実現する。
【００３６】
次に、前記構成のスタンド型プロジェクタ１０の動作について説明する。
【００３７】
図３は、前記スタンド型プロジェクタ１０による用紙ガイド処理を示すフローチャートである。
【００３８】
図４は、前記スタンド型プロジェクタ１０による用紙ガイド処理に伴うガイド表示処理を示すフローチャートである。
【００３９】
図５は、前記スタンド型プロジェクタ１０の用紙ガイド処理に伴う記入用紙１６に対してのガイド投影表示状態（その１）を示す図である。
【００４０】
図６は、前記スタンド型プロジェクタ１０の用紙ガイド処理に伴う記入用紙１６に対してのガイド投影表示状態（その２）を示す図である。
【００４１】
前記カメラ部１２により撮影された前記デスク（記帳台）１５上の撮影画像から、前記用紙種類データベース２２ｂに記憶されている各種定型の記入用紙１６…の画像に基づいて、当該撮影画像に被写体として含まれる記入用紙１６の種類が認識されると、前記デスク１５上に記入用紙１６があると判断される（ステップＳ１）。
【００４２】
この用紙ガイド処理は、前記ステップＳ１において、前記デスク１５上に記入用紙１６があると判断されている状態で繰り返し実行される。
【００４３】
この際、前記記入用紙１６の位置座標（Ｘ０，Ｙ０）〜（Ｘ３，Ｙ３）は、前記用紙位置メモリ２６ｂに記憶され、また同記入用紙１６の種類は、前記用紙種類メモリ２６ｃに記憶される。
【００４４】
前記記入用紙１６の種類が認識されると、前記撮影画像から前記記入用紙１６上にあるペン１７の位置Ｐが認識されると共に（ステップＳ２）、当該認識されたペン１７の傾きから記入者の利き手が認識され、前記利き手メモリ２６ｄに記憶される（ステップＳ３）。
【００４５】
また、前記個人情報読み取り部２７により前記記入者の個人情報が読み取られ、前記個人情報メモリ２６ｆに記憶される（ステップＳ４）。
【００４６】
すると、図４におけるガイド表示処理に移行され（ステップＳ５）、前記認識された記入用紙１６の種類に応じた記入欄毎のガイド表示処理が実行される（ステップＳ５１）。
【００４７】
すなわち、このガイド表示処理では、前記認識された記入用紙１６の種類に対応して前記用紙／記入欄別ガイドデータベース２２ｃに記憶されている各記入欄の位置毎に、その記入欄の位置が前記認識されたペン１７の位置Ｐより下であるか否か判断される（ステップＳ５２）。
【００４８】
具体的には、図５に示すような記入用紙（履歴書）１６の最初（左上）の氏名記入欄を対象に（ステップＳ５１（Ｎｏ））、ペン１７の位置Ｐより上であると判断されると（ステップＳ５２（Ｎｏ））、当該氏名記入欄が記入済みであるか否か判断される（ステップＳ５３）。
【００４９】
前記カメラ部１２による撮影画像に基づき、前記氏名記入欄が記入済みでないと判断されると（ステップＳ５３（Ｎｏ））、前記用紙／記入欄別ガイドデータベース２２ｃに基づき、当該氏名記入欄が記入必須欄であるか否か判断される（ステップＳ５４）。
【００５０】
ここで例えば、前記氏名記入欄が記入必須欄であると判断された場合は（ステップＳ５４（Ｙｅｓ））、当該氏名記入欄の欄枠に対応する強調画像が生成され前記投影表示部１３により投影されて表示される（ステップＳ５５）。
【００５１】
すると次に、前記記入用紙（履歴書）１６の氏名記入欄に対して、前記用紙／記入欄別ガイドデータベース２２ｃに基づき記入すべきガイドの内容が判断され、前記個人情報メモリ２６ｅに記憶された前記記入者の氏名「柏尾太郎」、生年月日「１９９１年１１月２６日」等が読み出され、当該個人情報のガイド画像ＰＩが前記投影表示部１３により投影されて表示される（ステップＳ５６→Ｓ５６ａ）。
【００５２】
なお、前記記入用紙１６を対象とする各記入欄の位置やガイド画像を投影する位置は、前記撮影画像に基づき認識された当該記入用紙１６の位置座標（Ｘ０，Ｙ０）〜（Ｘ３，Ｙ３）、当該記入用紙１６の種類に対応して前記用紙／記入欄別ガイドデータベース２２ｃに記憶されている記入欄別の位置に基づき算出される。
【００５３】
続いて、前記撮影画像に含まれる記入用紙（履歴書）１６の住所記入欄を対象に（ステップＳ５１（Ｎｏ））、前記ペン１７の位置Ｐより上にあると判断されると共に（ステップＳ５２（Ｎｏ））、記入済みでないと判断されると（ステップＳ５３（Ｎｏ））、前記用紙／記入欄別ガイドデータベース２２ｃに基づき、当該住所記入欄が記入必須欄であるか否か判断される（ステップＳ５４）。
【００５４】
ここで、前記住所記入欄が記入必須欄であると判断されると（ステップＳ５４（Ｙｅｓ））、図６に示すように、当該住所記入欄の欄枠に対応する強調画像ＨＬ１が生成され前記投影表示部１３により投影されて表示される（ステップＳ５５）。
【００５５】
すると、前記記入用紙（履歴書）１６の住所記入欄に対して、前記用紙／記入欄別ガイドデータベース２２ｃに基づき記入すべきガイドの内容（同住所記入欄の位置、サイズ、最大文字数、最適文字間隔、最適行間隔）が判断され、図５あるいは図６に示すように、当該住所記入欄の文字記入位置を示すガイド画像ＣＰ１，ＣＰ２が生成され前記投影表示部１３により投影されて表示される（ステップＳ５６→５６ｂ）。
【００５６】
また、次の電話記入欄に対しても前記同様に、当該電話記入欄の強調画像ＨＬ２が生成されて投影表示され（ステップＳ５４→Ｓ５５）、さらに、その文字記入位置を示すガイド画像ＣＰ３が生成されて投影表示される（ステップＳ５６→Ｓ５６ｂ）。
【００５７】
さらに、図５に示すように、前記記入用紙（履歴書）１６の学歴・職歴記入欄を対象に、同記入欄が前記ペン１７の位置Ｐから上になったと判断されると共に（ステップＳ５１（Ｎｏ）→Ｓ５２（Ｎｏ））、記入済みでなく（ステップＳ５３（Ｎｏ））、必須記入欄でないと判断されると（ステップＳ５４（Ｎｏ））、当該学歴・職歴記入欄に対しても前記同様に、その文字記入位置を示すガイド画像ＣＰ４が生成されて投影表示される（ステップＳ５６→Ｓ５６ｂ）。
【００５８】
このように、前記記入用紙１６の各記入欄をペン１７の位置Ｐが通過する毎に、当該記入欄に対する文字記入位置を示すガイド画像ＣＰｎが投影されて表示されることで、記入者は、同記入欄への文字の記入を正確かつ綺麗に見栄え良く行うことができる。
【００５９】
また、前記学歴・職歴記入欄の場合は、前記用紙／記入欄別ガイドデータベース２２ｃに基づき、同記入欄への記入の仕方を説明するガイド画像ＷＥ１も生成されて投影表示される（ステップＳ５６→Ｓ５６ｃ）。
【００６０】
これにより、前記学歴・職歴記入欄への記入に伴う諸注意も事前に知ることでき、綺麗に且つ間違いなく必要事項を記入できる。
【００６１】
また前記同様に、前記記入用紙（履歴書）１６の趣味・特技記入欄を対象に、その文字記入位置を示すガイド画像ＣＰ５が生成されて投影表示され（ステップＳ５６→Ｓ５６ｂ）、さらに、同記入欄への記入の仕方を説明するガイド画像ＷＥ２も生成されて投影表示される（ステップＳ５６→Ｓ５６ｃ）。
【００６２】
なお、前記処理対象となる記入欄への記入の仕方を説明するガイド画像ＷＥ１，ＷＥ２を生成して投影表示する際に、前記撮影画像に含まれるペン１７の傾きから認識された記入者の利き手（２６ｄ）に基づいて、例えばその利き手が右手である場合には前記ガイド画像ＷＥ１，ＷＥ２を記入用紙１６の左側に投影して表示させ、逆に左手である場合には前記ガイド画像ＷＥ１，ＷＥ２を記入用紙１６の右側に投影して表示させる。これにより、当該記入の仕方を説明するガイド画像ＷＥｎを、記入者の利き手に応じて常に見易い位置に投影して表示させる構成としてもよい。
【００６３】
図７は、前記スタンド型プロジェクタ１０の用紙ガイド処理に伴う記入用紙１６に対してのガイド投影表示状態（その３）を示す図である。
【００６４】
前記記入用紙（履歴書）１６に対するガイド表示処理において、図６に示すように、その氏名記入欄に対して記入者の氏名「柏尾太郎」が記入された後、次の住所記入欄と電話記入欄とに対して必須記入欄であることを示す強調画像ＨＬ１，ＨＬ２（図６参照）が投影表示された状態で、図７に示すように、当該強調表示（ＨＬ１，ＨＬ２）された住所記入欄と電話記入欄が未記入のまま、その下の学歴・職歴記入欄に対して記入者の学歴「厚木市立…」が記入されたと判断されると、前記強調表示（ＨＬ１，ＨＬ２）された住所記入欄と電話記入欄には、さらに、その記入欄全体を強調して示す欄強調画像ＨＬ１´，ＨＬ２´が投影されて表示される。
【００６５】
これにより、前記必須記入欄に対する記入漏れをより確実に防止することができる。
【００６６】
図８は、前記スタンド型プロジェクタ１０の用紙ガイド処理に伴う記入用紙１６に対してのガイド投影表示状態（その４）を示す図である。
【００６７】
前記記入用紙（履歴書）１６に対するガイド表示処理において、図８に示すように、当該記入用紙１６の右側の趣味・特技記入欄Ｄ１を対象に、前記ペン１７の位置Ｐより上となり、記入者により趣味「サイクリング…」、特技「珠算一級…」が記入済みであると判断されると（ステップＳ５１（Ｎｏ）→Ｓ５２（Ｎｏ）→Ｓ５３（Ｙｅｓ））、当該記入済みと判断された趣味・特技記入欄Ｄ１の撮影画像に基づく文字認識結果に基づき、誤字脱字の確認・警告処理が実行される（ステップＳ５７）。
【００６８】
具体的には、図８に示すように、前記趣味・特技記入欄Ｄ１に記入された文字列に含まれる「安産一級」について誤字であると判断され、当該文字列「安産一級」に対して誤字であること警告するガイド画像Ｗ１が生成されて投影表示される（ステップＳ５７）。
【００６９】
したがって、前記構成のスタンド型プロジェクタ１０による記入用紙１６へのガイド機能によれば、前記カメラ部１２により撮影された被写体としての記入用紙１６を含む撮影画像と前記用紙種類データベース２２ｂに記憶されている各種定型記入用紙１６…の画像とに基づき、前記撮影された記入用紙１６の種類が認識され、前記用紙／記入欄別ガイドデータベース２２ｃに基づき、前記認識された記入用紙１６の種類に応じた記入欄別の位置、最大文字数、最適文字サイズ、文字間隔、行間隔、記入すべき内容、記入の仕方、必須記入欄か否かを示すフラグが取得される。そして、前記撮影画像に基づいて前記記入用紙１６上で記入者が操作するペン１７とその位置Ｐが認識されると、当該ペン１７の位置Ｐから上にある処理対象の記入欄に対応して、その記入欄に応じた最適な文字記入位置を示すガイド画像ＣＰ１，ＣＰ２や記入の仕方を説明するガイド画像ＷＥ１，ＷＥ２が生成されて投影表示される。
【００７０】
これにより、前記記入用紙１６への記入を簡単かつ正確かつ見栄え良く行うことが可能になる。
【００７１】
また、前記構成のスタンド型プロジェクタ１０による記入用紙１６へのガイド機能によれば、記入者のＩＣ運転免許証やＩＣパスポート等から個人情報を読み取る個人情報読み取り部２７を備え、前記記入用紙１６の処理対象となる記入欄について、前記用紙／記入欄別ガイドデータベース２２ｃに基づき記入すべき内容が氏名、生年月日等の個人情報であると判断された場合は、当該処理対象の記入欄に対して前記個人情報読み取り部２７から読み取られた該当記入者の個人情報のガイド画像ＰＩが投影されて表示される。
【００７２】
これにより、記入者は、前記個人情報のガイド画像ＰＩとして表示された氏名等を単純にペン１７でなぞって記入すればよく、記入漏れや間違いを未然に防止できる。
【００７３】
また、前記構成のスタンド型プロジェクタ１０による記入用紙１６へのガイド機能によれば、前記記入用紙１６の処理対象の記入欄が必須記入欄である場合は、当該記入欄の強調画像ＨＬが投影されて表示されるので、当該必須記入欄に対しての記入漏れを確実に防止できる。
【００７４】
また、前記構成のスタンド型プロジェクタ１０による記入用紙１６へのガイド機能によれば、前記記入用紙１６の必須記入欄が未記入のままであることを、その下の記入欄に対し記入された手書き文字を認識することで判断し、未記入のままである場合は、当該必須記入欄に対する前記強調画像ＨＬの投影表示に加えて、その欄全体を強調する欄強調画像ＨＬ´が投影されて表示されるので、当該必須記入欄に対しての記入漏れをより確実に防止できる。
【００７５】
また、前記構成のスタンド型プロジェクタ１０による記入用紙１６へのガイド機能によれば、前記記入用紙１６の記入欄に記入された手書き文字がその文字を認識することで誤字・脱字であると判断された場合には、当該記入欄に記入された手書き文字に対して誤字・脱字を警告するガイド画像Ｗ１が投影されて表示されるので、各記入欄への誤字・脱字を素早く見つけて修正できる。
【００７６】
また、前記構成のスタンド型プロジェクタ１０による記入用紙１６へのガイド機能によれば、前記撮影画像から認識された前記記入用紙１６上でのペン１７の傾きに基づき記入者の利き手を認識し、処理対象となる記入欄に対応して投影表示させる当該記入欄への記入の仕方を説明するガイド画像ＷＥ１，ＷＥ２を、前記認識された利き手と反対となる前記記入用紙１６の端に対応して投影表示させるので、当該ガイド画像ＷＥｎを、記入者の利き手に応じて常に見易い位置に投影して表示できる。
【００７７】
なお、前記実施形態のスタンド型プロジェクタ１０は、そのコの字型フレーム１１の上部に設けられたカメラ部１２による撮影画像に基づいて、前記記入用紙１６やペン１７を認識し、当該記入用紙１６上でペン１７の位置Ｐから上にある記入欄を処理対象としてその記入欄に応じた最適なガイド画像ＰＩやＣＰ１，ＣＰ２やＷＥ１，ＷＥ２を投影表示する構成とした。
【００７８】
これに対し、以下に説明する他の実施形態のスタンド型プロジェクタ１０Ｎのように、前記記入用紙１６上の近傍に前記ペン１７がその高さ方向から十分接近していることを認識した状態で、前記記入用紙１６上でのペン１７の位置Ｐに応じた前記ガイド画像（ＰＩ／ＣＰｎ／ＷＥｎ）の投影表示を実施する構成としてもよい。更に、前記ペン１７が前記記入用紙１６の処理対象の記入欄に接触（ペンダウン）した場合は、当該記入欄に対応したガイド画像ＰＩ／ＣＰｎを隣接の領域に移動して投影表示したり、ペンダウンしたガイド画像ＰＩ／ＣＰｎの部分を消去したりする構成としてもよい。
【００７９】
（他の実施形態）
図９は、本発明の記入ガイド表示装置の他の実施形態に係るスタンド型プロジェクタ１０Ｎの外観構成を示す図である。
【００８０】
図１０は、前記他の実施形態に係るスタンド型プロジェクタ１０Ｎの電子回路の構成を示すブロック図である。
【００８１】
他の実施形態に係るスタンド型プロジェクタ１０Ｎには、コの字型フレーム１１の基部にデスク１５上に置かれた記入用紙１６をその水平方向から撮影し、当該記入用紙１６に対しペン１７がその高さ方向からどの程度接近しているかを認識するためのカメラ部（接近認識用）１８を追加して設ける。
【００８２】
これに伴い、記憶装置２２に記憶されるプロジェクタ制御プログラム２２ａｎには、前記カメラ部（接近認識用）１８による撮影画像に基づいて前記ペン１７が前記記入用紙１６上の高さ方向でどこまで接近しているかを認識する機能を実現するためのペン接近認識処理プログラムを追加して含める。
【００８３】
図１１は、前記他の実施形態のスタンド型プロジェクタ１０Ｎによる用紙ガイド処理（Ｎ）を示すフローチャートである。
【００８４】
この用紙ガイド処理（Ｎ）において、前記図３で示した用紙ガイド処理と同じ処理ステップには同じステップ符号を付してその説明を省略する。
【００８５】
図１２は、前記他の実施形態のスタンド型プロジェクタ１０Ｎによる用紙ガイド処理（Ｎ）に伴うガイド表示処理（Ｎ）を示すフローチャートである。
【００８６】
このガイド表示処理（Ｎ）において、前記図４で示したガイド表示処理と同じ処理ステップには同じステップ符号を付してその説明を省略する。
【００８７】
すなわち、前記構成による他の実施形態のスタンド型プロジェクタ１０Ｎでは、前記カメラ部（接近認識用）１８による撮影画像に基づいて、前記ペン１７が前記記入用紙１６上の予め設定された距離（例えば３０ｍｍ）以内に接近したことを認識した場合に（ステップＳ５Ｎ（Ｙｅｓ））、前記実施形態と同様に、当該記入用紙１６上でのペン１７の位置Ｐに応じた記入欄へのガイド表示処理（ステップＳ５（Ｓ５１〜Ｓ５６ｃ））を実施する。
【００８８】
具体的に、図９では、前記記入用紙１６上の設定距離以内の近傍に前記ペン１７が接近したことにより、当該ペン１７の位置Ｐに応じた記入欄に対して、前記投影表示部１３により前記ガイド画像ＣＰ５を投影表示した状態を示している。
【００８９】
これによれば、記入者が、ペン１７を目標の記入欄へ記入しようとその近傍まで近付けた際に、当該記入欄に応じたガイド画像ＣＰ５が表示されるようになるので、前記実施形態より更に効果的に、当該記入欄への記入を簡単かつ正確かつ見栄え良く行うことができる。
【００９０】
更に、前記他の実施形態のスタンド型プロジェクタ１０Ｎでは、前記記入用紙１６上でのペン１７の位置Ｐに応じて処理対象となった記入欄へのガイド画像ＰＩ／ＣＰｎ／ＷＥｎを表示させ後に（ステップＳ５１〜Ｓ５６ｃ）、前記ペン接近認識処理に基づいて、前記ペン１７が前記記入用紙１６の処理対象の記入欄に接触（ペンダウン）したと判断された場合は（ステップＳ５８（Ｙｅｓ））、当該記入欄に対応したガイド画像ＰＩ／ＣＰｎを隣接の領域に移動して投影表示したり、ペンダウンしたガイド画像ＰＩ／ＣＰｎの部分を消去したりする（ステップＳ５９）。
【００９１】
図１３は、前記他の実施形態のスタンド型プロジェクタ１０Ｎの用紙ガイド処理（Ｎ）に伴う記入用紙１６に対してのガイド投影表示状態（その１）を示す図である。
【００９２】
前記記入用紙（履歴書）１６の学歴・職歴記入欄を対象に、同記入欄が前記ペン１７の位置Ｐから上になったと判断されると共に（ステップＳ５１（Ｎｏ）→Ｓ５２（Ｎｏ））、記入済みでなく（ステップＳ５３（Ｎｏ））、必須記入欄でないと判断されることで（ステップＳ５４（Ｎｏ））、当該学歴・職歴記入欄に対して、その文字記入位置を示すガイド画像ＣＰ４が投影表示された状態で（ステップＳ５６→Ｓ５６ｂ）、前記ペン１７が当該記入欄に接触（ペンダウン）したと判断されると（ステップＳ５８（Ｙｅｓ））、前記ガイド画像ＣＰ４は矢印Ｍに示すように当該記入欄の上に隣接する領域に移動されて投影表示される（ステップＳ５９）。
【００９３】
図１４は、前記他の実施形態のスタンド型プロジェクタ１０Ｎの用紙ガイド処理（Ｎ）に伴う記入用紙１６に対してのガイド投影表示状態（その２）を示す図である。
【００９４】
前記記入用紙（履歴書）１６の趣味・特技記入欄を対象に、その文字記入位置を示すガイド画像ＣＰ５が生成されて投影表示された状態で（ステップＳ５６→Ｓ５６ｂ）、前記ペン１７が当該記入欄に接触（ペンダウン）したと判断されると（ステップＳ５８（Ｙｅｓ））、当該ペンダウンしたガイド画像ＣＰ５の一部分（一部の範囲）ＣＰ５Ｅが消去される（ステップＳ５９）。
【００９５】
これによれば、記入者が、ペン１７を目標の記入欄へ記入しようと接触させた際に、当該記入欄に投影表示中のガイド画像ＣＰｎが隣接した領域に移動表示されたり、同ガイド画像ＣＰｎの前記ペン１７と接触する一部分ＣＰ５Ｅが消去されるようになるので、前記実施形態より更に効果的に、当該記入欄への記入を簡単かつ正確かつ見栄え良く行うことができるばかりでなく、記入のし易さを追求した定型記入用紙へのガイド機能を実現できる。
【００９６】
なお、前記各実施形態において記載したスタンド型プロジェクタ１０による各処理の手法およびデータベース、すなわち、図３のフローチャートに示す用紙ガイド処理、図４のフローチャートに示す前記用紙ガイド処理に伴うガイド表示処理、図１１のフローチャートに示す他の実施形態の用紙ガイド処理（Ｎ）、図１２のフローチャートに示す前記他の実施形態の用紙ガイド処理（Ｎ）に伴うガイド表示処理（Ｎ）等の各手法および用紙種類データベース２２ｂ、用紙／記入欄別ガイドデータベース２２ｃ等の各データベースは、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体に格納して配布することができる。そして、カメラ部（１２）（１８）、投影表示部（１３）を備えた電子機器のコンピュータ（２１）は、この外部記録装置の媒体に格納されたプログラムを記憶装置（２２）に読み込み、この読み込んだプログラムによって動作が制御されることにより、前記各実施形態において説明した定型記入用紙へのガイド機能を実現し、前述した手法による同様の処理を実行することができる。
【００９７】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを、カメラ部（１２）（１８）、投影表示部（１３）を備えた電子機器に取り込んで記憶装置（２２）に記憶させ、前述した定型記入用紙へのガイド機能を実現することもできる。
【００９８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９９】
以下に、本願出願の当初の特許請求の範囲に記載された発明を付記する。
【０１００】
［１］
撮影手段と、
投影表示手段と、
前記撮影手段による撮影画像に基づいて、当該撮影画像に含まれる記入用紙を認識する用紙認識手段と、
この用紙認識手段に基づいてガイドを前記投影表示手段により前記記入用紙に投影して表示させるガイド表示制御手段と、
を備えたことを特徴とする記入ガイド表示装置。
【０１０１】
［２］
前記用紙認識手段により認識された記入用紙への記入に関するガイドを取得するガイド取得手段と、
を備え、
前記ガイド表示制御手段は、前記ガイド取得手段により取得されたガイドを前記投影表示手段により前記記入用紙に投影して表示させることを特徴とする［１］に記載の記入ガイド表示装置。
【０１０２】
［３］
前記ガイド取得手段は、前記用紙認識手段により認識された記入用紙への記入に関するガイドを当該記入用紙の記入欄別に取得し、
前記ガイド表示制御手段は、前記ガイド取得手段により記入欄別に取得されたガイドを前記投影表示手段により前記記入用紙の該当する記入欄に対応して表示させる、
ことを特徴とする［２］に記載の記入ガイド表示装置。
【０１０３】
［４］
前記撮影手段による撮影画像に基づいて、当該撮影画像に含まれる筆記用具を認識する筆記用具認識手段を備え、
前記ガイド取得手段は、前記用紙認識手段により認識された記入用紙における前記筆記用具認識手段により認識された筆記用具の位置より記入順で手前の記入欄への記入に関するガイドを取得する、
ことを特徴とする［３］に記載の記入ガイド表示装置。
【０１０４】
［５］
前記ガイド表示制御手段は、前記用紙認識手段により認識された記入用紙における前記筆記用具認識手段により認識された筆記用具の位置が当該記入用紙の近傍に接近したと判断した場合に、前記ガイド取得手段により取得されたガイドを前記投影表示手段により前記記入用紙に投影して表示させることを特徴とする［４］に記載の記入ガイド表示装置。
【０１０５】
［６］
前記ガイド表示制御手段により前記ガイドが前記記入用紙に投影して表示された後、前記筆記用具認識手段により認識された筆記用具の位置が当該記入用紙に接触したと判断した場合に、前記表示されたガイドを隣接する領域に移動して表示させるガイド移動表示制御手段を備えたことを特徴とする［５］に記載の記入ガイド表示装置。
【０１０６】
［７］
前記ガイド表示制御手段により前記ガイドが前記記入用紙に投影して表示された後、前記筆記用具認識手段により認識された筆記用具の位置が当該記入用紙に接触したと判断した場合に、前記表示されたガイドのうち前記筆記用具の位置に対応する部分を消去するガイド部分消去制御手段を備えたことを特徴とする［５］または［６］に記載の記入ガイド表示装置。
【０１０７】
［８］
前記ガイド取得手段は、複数種類の記入用紙それぞれの記入欄別にその記入欄への記入に関するガイドを記憶している用紙／記入欄別ガイド記憶手段を有し、この用紙／記入欄別ガイド記憶手段により記憶されている各種記入用紙それぞれの記入欄別のガイドから前記用紙認識手段により認識された記入用紙への記入に関するガイドを取得する、
ことを特徴とする［３］ないし［７］の何れかに記載の記入ガイド表示装置。
【０１０８】
［９］
個人情報を読み取る個人情報読み取り手段を備え、
前記ガイド表示制御手段は、前記ガイド取得手段により記入欄別に取得されたガイドの内容を判断するガイド内容判断手段を有し、このガイド内容判断手段により当該記入欄別に取得されたガイドの内容が個人情報の記入をガイドする内容であると判断された場合、前記個人情報読み取り手段により読み取られた個人情報を前記投影表示手段により前記記入用紙の該当する記入欄に投影して表示させる、
ことを特徴とする［３］ないし［８］の何れかに記載の記入ガイド表示装置。
【０１０９】
［１０］
前記ガイド表示制御手段は、前記ガイド内容判断手段により前記記入欄別に取得されたガイドの内容が文字の記入位置をガイドする内容であると判断された場合、当該文字の記入位置を示すガイドを前記投影表示手段により前記記入用紙の該当する記入欄に投影して表示させる、
ことを特徴とする［９］に記載の記入ガイド表示装置。
【０１１０】
［１１］
前記ガイド表示制御手段は、前記ガイド内容判断手段により前記記入欄別に取得されたガイドの内容が記入の仕方をガイドする内容であると判断された場合、当該記入の仕方を説明するガイドを前記投影表示手段により前記記入用紙の該当する記入欄に対応して表示させる、
ことを特徴とする［９］または［１０］に記載の記入ガイド表示装置。
【０１１１】
［１２］
前記ガイド表示制御手段は、前記ガイド内容判断手段により前記記入欄別に取得されたガイドの内容が記入必須欄をガイドする内容であると判断された場合、当該記入欄を強調するガイドを前記投影表示手段により前記記入用紙の該当する記入欄に投影して表示させる、
ことを特徴とする［９］ないし［１１］の何れかに記載の記入ガイド表示装置。
【０１１２】
［１３］
前記撮影手段による撮影画像に基づいて、前記用紙認識手段により認識された記入用紙に対し記入された手書き文字を認識する手書き文字認識手段と、
この手書き文字認識手段による手書き文字の認識に基づいて前記記入された手書き文字に関する誤りの有無を判断する記入誤り判断手段と、
この記入誤り判断手段により前記記入された手書き文字に関する誤りが有ると判断された場合に、当該誤りを警告するガイドを前記投影表示手段により前記記入用紙の該当する手書き文字に対応して表示させる警告ガイド表示制御手段と、
を備えたことを特徴とする［１］ないし［１２］の何れかに記載の記入ガイド表示装置。
【０１１３】
［１４］
前記ガイド表示制御手段は、前記ガイド内容判断手段により前記記入欄別に取得されたガイドの内容が記入の仕方をガイドする内容であると判断された場合、当該記入の仕方を説明するガイドを前記投影表示手段により前記記入用紙の該当する記入欄に対応する位置で且つ少なくとも一部を前記記入用紙の外側に表示させる、
ことを特徴とする［９］または［１０］に記載の記入ガイド表示装置。
【０１１４】
［１５］
前記撮影手段による撮影画像に基づいて、前記用紙認識手段により認識された記入用紙への記入者の利き手を認識する利き手認識手段を備え、
前記ガイド表示制御手段は、前記ガイド内容判断手段により前記記入欄別に取得されたガイドの内容が記入の仕方をガイドする内容であると判断された場合、当該記入の仕方を説明するガイドを前記投影表示手段により前記記入用紙の該当する記入欄に対応する位置で且つ前記利き手認識手段により認識された記入者の利き手と反対となる位置に表示させる、
ことを特徴とする［１１］に記載の記入ガイド表示装置。
【０１１５】
［１６］
撮影部と投影表示部とを備えた電子機器を制御して記入用紙にガイドを表示させるための方法であって、
前記撮影部による撮影画像に基づいて、当該撮影画像に含まれる記入用紙を認識し、
この記入用紙の認識に基づいてガイドを前記投影表示部により前記記入用紙に投影して表示させる、
ことを特徴とする記入ガイド表示方法。
【０１１６】
［１７］
撮影部と投影表示部とを備えた電子機器のコンピュータを制御するためのプログラムであって、
前記コンピュータを、
前記撮影部による撮影画像に基づいて、当該撮影画像に含まれる記入用紙を認識する用紙認識手段、
この用紙認識手段に基づいてガイドを前記投影表示部により前記記入用紙に投影して表示させるガイド表示制御手段、
として機能させるためのコンピュータ読み込み可能なプログラム。
【符号の説明】
【０１１７】
１０  …スタンド型プロジェクタ（記入ガイド表示装置）
１１  …本体フレーム
１２  …カメラ部
１３  …投影表示部
１４  …キー部
１５  …デスク
１６  …記入用紙
１７  …ペン
１８  …カメラ部（接近認識用）
２１  …ＣＰＵ
２２  …記憶装置
２２ａ…プロジェクタ制御プログラム
２２ｂ…用紙種類データベース
２２ｃ…用紙／記入欄別ガイドデータベース
２３  …外部記録媒体
２４  …記録媒体読み取り部
２５  …通信部
２６  …ＲＡＭ
２６ａ…スキャン画像メモリ
２６ｂ…用紙位置メモリ
２６ｃ…用紙種類メモリ
２６ｄ…利き手メモリ
２６ｅ…個人情報メモリ
２６ｆ…認識文字メモリ
２６ｇ…投影表示画像メモリ
ＬＭ  …投影可能範囲
Ｐ    …ペン位置
ＰＩ  …個人情報のガイド画像
ＣＰｎ…文字記入位置のガイド画像
ＷＥｎ…記入の仕方のガイド画像
ＨＬｎ…強調画像
ＨＬｎ´…欄強調画像
Ｗ１  …誤字・脱字の警告ガイド画像
（Ｘ０，Ｙ０）〜（Ｘ３，Ｙ３）…用紙位置
【図１】
2015180988.tif 000003
【図２】
2015180988.tif 000004
【図３】
2015180988.tif 000005
【図４】
2015180988.tif 000006
【図５】
2015180988.tif 000007
【図６】
2015180988.tif 000008
【図７】
2015180988.tif 000009
【図８】
2015180988.tif 000010
【図９】
2015180988.tif 000011
【図１０】
2015180988.tif 000012
【図１１】
2015180988.tif 000013
【図１２】
2015180988.tif 000014
【図１３】
2015180988.tif 000015
【図１４】
2015180988.tif 000016